(57)【要約】【課題】  放射線像検出パネルに対して読取用線状光を線順次走査させる読取光走査装置において、取得される画像信号の品質の低下を抑制して、読取用線状光の利用効率を高める。【解決手段】  線状に延びる読取用線状光Ｌｒの線順次走査を受けて放射線像を示す画像信号が読み出される放射線像検出パネル１００に対して読取用線状光Ｌｒを線順次走査させる際に、線状光射出手段２１０から線順次走査せしめられた各読取用線状光の放射線像検出パネル１００上への各照射領域が互に重複しないように、線状光射出手段２１０から射出される各読取用線状光Ｌｒの拡散を制限してこの読取用線状光Ｌｒを放射線像検出パネル１００へ伝播させるように屈折率分布を持たせた拡散制限板２２０を放射線像検出パネル１００と線状光射出手段２１０との間に配置する。【選択図】          図２
2007081940.tif 000002
【特許請求の範囲】
【請求項１】
被写体の放射線像を担持した放射線の曝射を受けて上記放射線像を示す潜像電荷が蓄積され、その後、線状に延びる読取用線状光の線順次走査を受けて前記放射線像を示す画像信号が読み出される放射線像検出パネルに対して、前記読取用線状光を線順次走査させる読取光走査装置であって、
前記線順次走査せしめられる各読取用線状光を射出する線状光射出手段と、
前記放射線像検出パネルと前記線状光射出手段との間に配置された、各読取用線状光の前記放射線像検出パネル上への照射領域が互に重複しないように前記線状光射出手段から射出される各読取用線状光の拡散を制限して該読取用線状光を前記放射線像検出パネルへ伝播させるように屈折率分布を持たせた拡散制限板を備えたことを特徴とする読取光走査装置。
【請求項２】
前記拡散制限板が、前記読取用線状光の伝播面と直交する方向において、中心部が高く、周辺部が低い屈折率分布を有するものであることを特徴とする請求項１記載の読取光走査装置。
【請求項３】
前記拡散制限板が各読取用線状光に対応させて重ねられたものであり、互に隣接する前記拡散制限板の間に前記読取用線状光を遮断する遮光壁を備えたことを特徴とする請求項１または２記載の読取光走査装置。
【請求項４】
前記遮光壁が、前記放射線像検出パネルに記録された放射線像の残像を消去するための、前記読取用線状光とは異なる波長を有する消去光を透過させるものであることを特徴とする請求項３記載の読取光走査装置。
【請求項５】
前記線状光射出手段が、前記読取用線状光を発生させるエレクトロルミネセンス素子を備えたものであることを特徴とする請求項１から４のいずれか１項記載の読取光走査装置。
【発明の詳細な説明】
【技術分野】
【０００１】
本発明は、線状に延びる読取用線状光の走査を受けて放射線像を示す画像信号が読み出される放射線像検出パネル上に上記読取用線状光を線順次走査させる読取光走査装置に関するものである。
【背景技術】
【０００２】
従来より、被写体の放射線像を担持した放射線の曝射を受けて上記放射線像を示す潜像電荷が蓄積され、その後、線状に延びる読取用線状光の線順次走査を受けて上記放射線像を示す画像信号が読み出される放射線像検出パネルを備えた放射線像記録読取装置が、医療用放射線像の撮影などにおいて利用されており、種々の方式のものが提案されている。
【０００３】
上記放射線像記録読取装置としては、たとえば、放射線像検出パネルに記録された放射線像を読み取る際に上記放射線像検出パネルへ読取用線状光を照射する手段としてエレクトロルミネセンス素子（ＥＬ素子）を配した発光パネルを使用したものが知られている（特許文献１参照）。この、発光パネルは、放射線像検出パネルに対向して配置され、線状に延びる読取用線状光を上記放射線像検出パネル上の互に異なる線状領域へ順次照射するものである。上記読取用線状光の線順次走査を受けた放射線像検出パネルからは、この放射線像検出パネル中の上記線状領域に記録されていた放射線像を示す画像信号が読み出される。
【０００４】
また、上記線順次走査される各読取用線状光の放射線像検出パネル上への照射領域が重なると、先の読取用線状光の照射によって読み取られた放射線像の残像が、次の読取用線状光の照射によって読み取られるため、取得した放射線像を示す画像信号の品質が低下する。そのような画像信号の品質の低下を防止するため、線順次走査させる各読取用線状光が放射線像検出パネルへ到達するまでの各光路を光学的に分離する遮光壁を設ける方式が検討されている。
【特許文献１】特開２０００−１６２７２６号公報
【発明の開示】
【発明が解決しようとする課題】
【０００５】
しかしながら、上記のような遮光壁を設ける方式では、発光パネルから発せられた読取用線状光が遮光壁で散乱あるいは吸収される。そのため、この発光パネルから発せられた読取用線状光の光量は、放射線像検出パネルに到達するまでに１％以下に減衰してしまい、放射線像の読取りに本来必要な光量に比して発光パネルから発せられる読取用線状光の光量を極めて大きくしなければならないという問題がある。
【０００６】
なお、上記問題は、ＥＬ素子を配した発光パネルを用いて読取用線状光を線順次走査させる場合に限らず、放射線像検出パネルに対して、読取用線状光を発する線状の発光源を移動させて上記読取用線状光を線順次走査させる場合等についても共通に生じる問題である。
【０００７】
本発明は、上記の事情に鑑みてなされたものであり、取得される画像信号の品質の低下を抑制して、読取用線状光の利用効率を高めることができる読取光走査装置を提供することを目的とするものである。
【課題を解決するための手段】
【０００８】
本発明の読取光走査装置は、被写体の放射線像を担持した放射線の曝射を受けて上記放射線像を示す潜像電荷が蓄積され、その後、線状に延びる読取用線状光の線順次走査を受けて前記放射線像を示す画像信号が読み出される放射線像検出パネルに対して、読取用線状光を線順次走査させる読取光走査装置であって、前記線順次走査せしめられる各読取用線状光を射出する線状光射出手段と、放射線像検出パネルと線状光射出手段との間に配置された、各読取用線状光の放射線像検出パネル上への照射領域が互に重複しないように線状光射出手段から射出される各読取用線状光の拡散を制限して該読取用線状光を放射線像検出パネルへ伝播させるように屈折率分布を持たせた拡散制限板を備えたことを特徴とするものである。
【０００９】
前記読取用線状光を線順次走査するとは、線状に延びる読取用線状光を放射線像検出パネル上の互に異なる線状の領域へ順次照射することを意味するものである。
【００１０】
前記拡散制限板は、読取用線状光の伝播面と直交する方向において、中心部が高く、周辺部が低い屈折率分布を有するものとすることができる。
【００１１】
前記読取光走査装置は、拡散制限板が各読取用線状光に対応させて重ねられたものであり、互に隣接する拡散制限板の間に読取用線状光を遮断する遮光壁を備えるようにしてもよい。
【００１２】
前記読取用線状光を遮断するとは、読取用線状光を侵入させることなく反射させたり、散乱させたり、あるいは吸収したりすることを意味する。
【００１３】
前記遮光壁は、放射線像検出パネルに記録された放射線像の残像を消去するための、読取用線状光とは異なる波長を有する消去光を透過させるものとすることができる。
【００１４】
前記線状光射出手段は、読取用線状光を発生させるエレクトロルミネセンス素子を備えたものとすることができる。
【００１５】
前記エレクトロルミネセンス素子は、電場の印加により注入した電子及び正孔を有機発光層で再結合させることにより、電気エネルギーを直接、光エネルギーに変換する素子である。
【発明の効果】
【００１６】
本発明の読取光走査装置は、各読取用線状光の放射線像検出パネル上への照射領域が互に重複しないように線状光射出手段から射出される各読取用線状光の拡散を制限して読取用線状光を放射線像検出パネルへ伝播させるように屈折率分布を持たせた拡散制限板を備えるようにしたので、放射線像検出パネルへ照射される各読取用線状光の照射領域の重複を抑制して、従来のような遮光壁での散乱あるいは吸収等による光量損失を抑えて読取用線状光を放射線像検出パネルに伝播させるこができるので、取得される放射線像を示す画像信号の品質の低下を抑制して、読取用線状光の利用効率を高めることができる。
【００１７】
また、拡散制限板を、読取用線状光の伝播面と直交する方向において、中心部が高く、周辺部が低い屈折率分布を有するものとすれば、より確実に、上記放射線像検出パネル上への読取用線状光の照射領域の重複を抑制できるとともに、読取用線状光の利用効率を高めることができる。
【００１８】
また、拡散制限板を各読取用線状光に対応させて重ねられたものとし、互に隣接する拡散制限板の間に読取用線状光を遮断する遮光壁を備えるようにすれば、より確実に上記照射領域の重複を抑制できる。
【００１９】
なお、前記遮光壁を、放射線像検出パネルに記録された放射線像の残像を消去するための、読取用線状光とは異なる波長を有する消去光を透過させるものとすれば、消去光の光量損失を防止することができ消去光の利用効率をも高めることができる。
【００２０】
ここで、前記線状光射出手段を、読取用線状光を発生させるエレクトロルミネセンス素子を備えたものとすれば、線状光射出手段をより薄型化することができる。
【発明を実施するための最良の形態】
【００２１】
以下、図面を参照して本発明の読取光走査装置を適用した放射線像記録読取装置の実施の形態について説明する。図１は放射線像記録読取装置に搭載された読取光走査装置の概略構成を示す図、図２は放射線像記録読取装置をＸ−Ｚ平面と平行な平面で切断した断面の一部を拡大して示す拡大断面図である。
【００２２】
図示のように、上記放射線像記録読取装置は、放射線源５から発せられた被写体１の放射線像を担持した放射線Ｌｘの曝射を受けて上記放射線像を示す潜像電荷が蓄積され、その後、線状に延びる読取用線状光Ｌｒの線順次走査を受けて上記放射線像を示す画像信号が読み出される放射線像検出パネル１００と、上記放射線像検出パネル１００に対して読取用線状光Ｌｒを線順次走査させる本発明の読取光走査装置２００と、上記放射線像検出パネル１００から放射線像が読み取られた後に残された上記放射線像の残像を消去するための消去光Ｌｓを放射線像検出パネル１００へ照射する消去光照射パネル３００とを備えている。
【００２３】
なお、上記放射線像記録読取装置を構成する放射線像検出パネル１００、読取光走査装置２００、および消去光照射パネル３００の各要素は、放射線像を担持した放射線の曝射を受ける側から放射線像検出パネル１００、読取光走査装置２００、消去光照射パネル３００の順に並べられている。
【００２４】
上記読取光走査装置２００は、線順次走査せしめられる各読取用線状光Ｌｒを放射線像検出パネル１００に向けて射出する線状光射出部２１０、および放射線像検出パネル１００と線状光射出部２１０との間に配置された拡散制限板２２０を備えている。拡散制限板２２０は、各読取用線状光Ｌｒの放射線像検出パネル１００上への照射領域が互に重複しないように線状光射出部２１０から射出される各読取用線状光Ｌｒの拡散を制限して読取用線状光Ｌｒを放射線像検出パネル１００へ伝播させるように屈折率分布を持たせたものである。
【００２５】
上記拡散制限板２２０は、各読取用線状光Ｌｒに対応させて図中Ｙ方向に重ねられたものであり、拡散制限板２２０のそれぞれは、図１中の矢印Ｙ方向に線状に延びる読取用線状光Ｌｒを放射線像検出パネル１００へ伝播させる伝播面（図中のＹ―Ｚ平面に平行な伝播面）に対して直交する方向（図中矢印Ｘ方向）において、中心部が高く、周辺部が低い屈折率分布を有するものである。これにより、上記拡散制限板２２０は読取用線状光Ｌｒの図中Ｘ方向への拡散を制限することができる。なお、上記拡散制限板２２０の屈折率分布は連続的に変化するものであってもよいし段階的に変化するものであってもよい。
【００２６】
また、上記読取光走査装置２００は、図２に示すように、互に隣り合う拡散制限板２２０の間に読取用線状光Ｌｒを遮断する遮光壁２３０を備えるようにしてもよい。上記遮光壁２３０は、放射線像検出パネル１００に記録された放射線像の残像を消去するための消去光Ｌｓを透過させるものである。なお、上記消去光Ｌｓは読取用線状光Ｌｒとは異なる波長を有するものである。
【００２７】
線状光射出部２１０は、励起源となる蛍光体物質に電界を印加して発光させるＥＬ（エレクトロルミネセンス）発光方式を採用することができる。
【００２８】
以下、読取光走査装置２００、放射線像検出パネル１００、および消去光照射パネル３００のそれぞれについて詳しく説明する。
【００２９】
始めに放射線像検出パネル１００について説明する。図１に示すように、この放射線像検出パネル１００は、例えば特開２０００−２８４０５６号公報に開示されているような、いわゆる光読み出し方式の放射線像検出パネルであって、第１電極層１１、記録用導電層１２、電荷輸送層１３、読取用導電層１４、第２電極層１５、絶縁層１７をこの順に積層して構成されたものである。
【００３０】
第１電極層１１は、電気的に絶縁した状態になっており、放射線像検出パネル１００に曝射される放射線像を担持した放射線を透過させる。記録用導電層１２はたとえばアモルファスセレンからなり、記録用の電磁波である放射線の曝射によって導電性を呈し電荷対を発生するようになっている。電荷輸送層１３は負電荷に対しては略絶縁体として作用し、正電荷に対しては略導電体として作用するようになっている。読取用導電層１４は、たとえばアモルファスセレンからなり、読取用線状光Ｌｒの照射により導電性を呈し電荷対を発生するものである。読取用導電層１４の上には、図中矢印Ｘ方向に向かって延びる複数の線状電極１６を有する第２電極層１５が積層されている。なお、第２電極層１５は絶縁層１７によって絶縁されている。
【００３１】
記録用導電層１２と電荷輸送層１３との界面には蓄電部１９が形成されている。つまり、記録用導電層１２内で発生した電子が、第１電極層１１と第２電極層１５との間で形成される電界により、第２電極層１５側へ移動しようとしたときに、電荷輸送層１３によってその移動が制限されるようになっている。したがって蓄電部１９には、放射線像を担持した放射線の曝射量に応じた電荷が潜像電荷として蓄積され、これにより、上記放射線像が記録されることになる。
【００３２】
ここで、放射線像検出パネル１００に放射線像を記録するとき、信号取得部５０から第１電極層１１と第２電極層１５との間に高電圧が印加される。すると、第１電極層１１の側には負電荷が帯電し、第２電極層１５の側は正電荷が帯電する。次に、第１電極層１１の側から放射線像を担持した放射線が照射されると、その放射線の曝射量に応じて、記録用導電層１２において正負の電荷対が発生する。そのうち、電荷対の正孔は第１電極層１１側に移動し、第１電極層１１の負電荷と結像し消滅する。一方、電荷対の電子は、第１電極層１１の側に移動するが、電荷輸送層１３によってその移動が制限される。これにより、蓄電部１９に潜像電荷として放射線像が記録される。
【００３３】
蓄電部１９に記録された放射線像を読み取る場合、読取光走査装置２００から射出された図中矢印Ｙ方向に延びる一定光量の読取用線状光Ｌｒが、放射線像検出パネル１００の第２電極層１５の側へ順次走査せしめられる。なお、上記読取用線状光Ｌｒが走査される方向は図中矢印Ｘ方向である。図中矢印Ｙ方向に延びる読取用線状光Ｌｒの照射を受けた読取用導電層１４に電荷対が発生すると、上記発生した電荷対の正孔は、電荷輸送層１３を通って蓄電部１９に蓄積された負電荷と結像し消滅する。一方、電荷対の電子は第２電極層１５の側へ移動し正電荷と結像する。そして、第２電極層１５において電子と正電荷が結合したときに線状電極１６を通る電流が流れる。この電流の変化を信号取得部５０が検出することにより放射線像を示す画像信号が読み取られる。
【００３４】
次に、読取光走査装置の拡散制限板について説明する。
【００３５】
図３（ａ）は線状光射出部から射出された読取用線状光が拡散制限板中での拡散を制限されながら伝播する様子を示す図、図３（ｃ）は線状光射出部から射出された読取用線状光が拡散制限板中を通ることなく拡散しながら伝播する本発明とは異なる方式で読取用線状光を伝播させる様子を示す図、図４は線状光射出部から射出された読取用線状光が拡散する様子を示す図である。
【００３６】
以下、図３、図４、および上述の図１、図２を参照して読取光走査装置について説明する。
【００３７】
この読取光走査装置２００を構成する線状光射出部２１０は、エレクトロルミネセンス素子（ＥＬ素子ともいう）を用いて構成されており、放射線像検出パネル１００に対して青色光からなる読取用線状光Ｌｒを射出する。
【００３８】
拡散制限板２２０の図中Ｙ方向に延びる一端面は、線状光射出部２１０における読取用線状光Ｌｒの射出面に密着せしめられている。拡散制限板２２０の図中Ｙ方向に延びる他端面は放射線像検出パネル１００の絶縁層１７に密着せしめられている。
【００３９】
線状光射出部２１０は、陰極２２と読取光発光層２４と陽極２３とをこの順に積層してなるものである。陽極２３はたとえばＩＴＯ膜等の光透過性の導電層であってガラス基板等の光透過性の基板上に成膜された図中Ｙ方向に延びるストライプ状の複数の線状電極２３Ｄを有している。一方、陰極２２は上記と同様の光透過性の導電層としたり、アルミニウム等からなる導電層を有するものとすることができる。
【００４０】
上記陰極２２と読取光発光層２４と陽極２３とをこの順に積層した構造は、例えば、陰極と発光層と陽極との積層構造、陰極とホール輸送層と発光層と陽極との積層構造、陰極とホール輸送層と発光層と電子輸送層と陽極との積層構造、陰極とホール輸送層と発光層と電子輸送層と電子注入層と陽極との積層構造等を採用することができる。
【００４１】
陰極２２および陽極２３は駆動電源部３０に電気的に接続されており、この駆動電源部３０は陰極２２および陽極２３に読取用線状光Ｌｒを発光させるための駆動電力を供給する。具体的には、陽極２３にスイッチング素子２１を介して駆動電源部３０のプラス極が接続されており、陰極２２に駆動電源部３０のマイナス極が接続されている。このスイッチング素子２１の動作は発光制御部４０によって制御される。
【００４２】
次に、線状光射出部２１０の動作について説明する。線状光射出部２１０から読取用線状光Ｌｒを線順次走査させるときには、発光制御部４０の制御によりスイッチング素子２１を順次ＯＮ・ＯＦＦさせ走査方向（図中矢印Ｘ方向）に並ぶ陽極２３の各線状電極２３Ｄに順次電圧を印加する。すると、駆動電圧が印加された線状電極２３Ｄと陰極２３との間に挟まれた読取光発光層２４から読取用線状光Ｌｒが順次射出され、読取光走査装置２００による読取用線状光Ｌｒの線順次走査が実行される。
【００４３】
線状光射出部２１０から射出された各読取用線状光Ｌｒは、拡散制限板２２０を通って、放射線像検出パネル１００に伝播される。
【００４４】
ここで、線状光射出部２１０から射出された各読取用線状光Ｌｒは、図中Ｘ方向への拡散が制限されつつ放射線像検出パネル１００へ伝播せしめられる。
【００４５】
すなわち、図３（ａ）に示すように、図中Ｚ−Ｙ平面に平行な線状光射出部２１０上の線状の領域から射出される各読取用線状光Ｌｒのそれぞれは、図中Ｚ−Ｙ平面と平行に上記読取用線状光Ｌｒを導光するように配置された各拡散制限板２２０中を屈折しながら伝播して、放射線像検出パネル１００に到達する。なお、各拡散制限板２２０のそれぞれは図中Ｘ方向に積層されている。
【００４６】
上記各拡散制限板２２０は、読取用線状光Ｌｒの伝播面であるＺ−Ｙ平面に対して直交するＸ方向において、中心部が高く、周辺部が低い屈折率分布を有するものであり、上記屈折率分布としては連続的に変化するものや、段階的に変化するものを採用することができる。これにより、読取用線状光Ｌｒによって、放射線像検出パネル１００上の図中矢印Ｙ方向に延びる各照射領域を互に重複しないように照射することができ、さらに、読取用線状光Ｌｒの光の利用効率を高めることもできる。
【００４７】
すなわち、図４に示すように、読取用線状光Ｌｒは、図中Ｘ−Ｚ平面において概略円形形状の光強度分布を示すように線状光射出部２１０から拡散して射出される。そのため、拡散制限板２２０を用いることなく遮光壁２３０のみを採用して読取用線状光Ｌｒを伝播させる方式を用いた場合には、図３（ｂ）に示すように、線状光射出部２１０から拡散して射出される読取用線状光Ｌｒの光量の多くは遮光壁２３０での散乱や吸収等によって失われ、線状光射出部２１０から射出されたときの読取用線状光Ｌｒの光量のうちの１％以下しか放射線像検出パネル１００へ到達しない。
【００４８】
一方、図３（ａ）に示すように、拡散制限板を採用した本発明の場合には、図中Ｘ−Ｚ平面において概略円形形状の光強度分布を示すように線状光射出部２１０から拡散して射出される読取用線状光Ｌｒは、拡散制限板２２０中を屈折しながら伝播する。したがって、読取用線状光Ｌｒは拡散制限板２２０中で吸収されるものの、この拡散制限板２２０から外れて伝播する光量は僅かであり、拡散制限板２２０中を伝播する読取用線状光Ｌｒの光量の損失は上記拡散制限板を用いない場合より少なくすることができる。これにより、線状光射出部２１０から射出されたときの読取用線状光Ｌｒの光量のうちの５％程度を放射線像検出パネル１００へ到達させることができる。
【００４９】
なお、線状光射出部２１０から射出された読取用線状光Ｌｒを、上記線状光射出部２１０により平行光化して放射線像検出パネル１００へ射出するようにしてもよい。
【００５０】
さらに、上述のように、互に隣接する拡散制限板２２０の間に読取用線状光Ｌｒを遮断する遮光壁２３０を備えることにより、より確実に、放射線像検出パネル１００上への各読取用線状光Ｌｒの照射領域の重複を防止することができる。
【００５１】
次に、消去光照射パネル３００について説明する。
【００５２】
図１および図２に示すように、消去光照射パネル３００は、放射線像が放射線像検出パネル１００に一旦記録され読み出された後、この放射線像検出パネル１００に残った放射線像の残像を消去する。例えば消去光としてオレンジ色の光を採用することができる。
【００５３】
消去光照射パネル３００は、上記線状光射出部２１０と概略同様の陰極と発光層と陽極とをこの順に積層した３層構造を有するものであるが、スイッチング素子４２をＯＮ状態とすることにより陰極３２の全体と陽極３３の全体とに、すなわちパネル面の全体に同時に駆動電源部３０からの電圧が印加される。スイッチング素子４２をＯＮ状態にして、陰極３２と陽極３３との間に駆動電圧を印加すると、陰極３２と陽極３３との間に挟まれた消去光発光層３４の全面から消去光Ｌｓが射出される。
【００５４】
消去光照射パネル３００から射出された上記読取用線状光Ｌｒより長い波長の消去光Ｌｓは、上記読取光走査装置２００を構成する線状光射出部２１０、および拡散制限板２２０や遮光壁２３０を通して放射線像検出パネル１００へ照射される。
【００５５】
ここで、読取用線状光Ｌｒは放射線像検出パネル１００上の所定領域のみを照射することが求められるが、消去光Ｌｓは放射線像検出パネル１００上の全体領域を照射することが求められるため正確な照射位置の管理は不要である。
【００５６】
上記消去光Ｌｓの放射線像検出パネル１００への照射により放射線像検出パネル１００に残る放射線像の残像が消去され、上記放射線像検出パネル１００を再び放射線像の記録および読取りに使用可能な状態とすることができる。
【００５７】
上記のように、本発明によれば、各読取用線状光の放射線像検出パネル上における照射領域の重複を抑制し、さらに光量損失を抑制して読取用線状光を放射線像検出パネルに伝播させるこができ、取得される放射線像の品質の劣化を防止することができるとともに読取用線状光の利用効率を高めることができる。
【図面の簡単な説明】
【００５８】
【図１】本発明の実施の形態である読取光走査装置の概略構成を示す図
【図２】読取光走査装置の断面を示す拡大図
【図３】図３（ａ）は拡散制限板中を通る読取用線状光の様子を示す図、図３（ｃ）は拡散制限板中を通らない読取用線状光が拡散する様子を示す図
【図４】線状光射出部から発せられ拡散する読取用線状光の様子を示す図
【符号の説明】
【００５９】
１    被写体
５    放射線源
１００    放射線像検出パネル
２００    読取光走査装置
２１０    線状光射出部
２２０    拡散制限板
２３０    遮光壁
３００    消去光照射パネル
Ｌｘ    放射線
Ｌｒ    読取用線状光
Ｌｓ    消去光
【図１】
2007081940.tif 000003
【図２】
2007081940.tif 000004
【図３】
2007081940.tif 000005
【図４】
2007081940.tif 000006